(57)【要約】【課題】無駄な再撮影を行うことなく、患者の被爆量を低減することができる放射線照射検出システムおよび放射線発生装置並びに放射線検出装置を提供する。【解決手段】放射線発生部１１および出射制御部１２を有する放射線発生装置１０と、放射線検出器２１を有する放射線検出装置２０とを備え、放射線検出装置２０が、放射線の出射を許可する出射許可信号を出力する第１の無線通信部２３を有し、放射線発生装置１０が、出射許可信号を受け付ける第２の無線通信部１４を有し、出射制御部１２が、出射許可信号を受け付けた際、パルス状の放射線を出射させ、かつパルス状の放射線の出射期間のうち、放射線が出射されていない期間に第２の無線通信部１４によって受け付けられた出射許可信号を用いてパルス状の放射線の出射を制御する。【選択図】図２
2018183397.tif 000002
【特許請求の範囲】
【請求項１】
放射線を発生する放射線発生部および前記放射線の出射を制御する出射制御部を有する放射線発生装置と、被検体を透過した前記放射線を検出する放射線検出器を有する放射線検出装置とを備え、
前記放射線検出装置が、前記放射線の出射を許可する出射許可信号を無線信号として出力する第１の無線通信部を有し、
前記放射線発生装置が、前記出射許可信号を受け付ける第２の無線通信部を有し、
前記出射制御部が、前記出射許可信号を受け付けた際、パルス状の前記放射線を出射させるものであり、かつ前記パルス状の放射線の出射期間のうち、前記放射線が出射されていない期間に前記第２の無線通信部によって受け付けられた前記出射許可信号を用いて前記パルス状の放射線の出射を制御する放射線照射検出システム。
【請求項２】
前記第１の無線通信部が、前記放射線が出射されていない期間にのみ前記出射許可信号を出力する請求項１記載の放射線照射検出システム。
【請求項３】
前記第１の無線通信部が、前記出射許可信号を連続して出力するものであり、
前記出射制御部が、前記第２の無線通信部によって受け付けられた前記出射許可信号のうち、前記放射線が出射されていない期間に受け付けられた前記出射許可信号を用いて前記パルス状の放射線の出射を制御する請求項１記載の放射線照射検出システム。
【請求項４】
前記第１の無線通信部が、前記放射線の出射を停止する際、前記放射線の出射停止を指示する出射停止信号を無線信号として出力するものであり、かつ前記パルス状の放射線の少なくとも１周期の間、前記出射停止信号を継続して出力する請求項１から３いずれか１項記載の放射線照射検出システム。
【請求項５】
前記第１の無線通信部が、前記放射線の出射を停止する際、前記パルス状の放射線の少なくとも１周期の間、前記出射許可信号の出力を停止する請求項１から３いずれか１項記載の放射線照射検出システム。
【請求項６】
前記放射線検出装置が、前記放射線検出器の準備動作が終了した場合に、前記出射許可信号を出力し、かつ前記放射線検出器における前記放射線の検出信号の蓄積動作を開始する請求項１から５いずれか１項記載の放射線照射検出システム。
【請求項７】
前記放射線発生装置が、可搬型である請求項１から６いずれか１項記載の放射線照射検出システム。
【請求項８】
放射線を発生する放射線発生部、前記放射線の出射を制御する出射制御部および無線通信を行う無線通信部を備えた放射線発生装置であって、
前記出射制御部が、被検体を透過した前記放射線を検出する放射線検出装置から出力された無線信号の出射許可信号を前記無線通信部によって受け付けた際、パルス状の前記放射線を出射させるものであり、かつ前記パルス状の放射線の出射期間のうち、前記放射線が出射されていない期間に受け付けられた前記出射許可信号を用いて前記パルス状の放射線の出射を制御する放射線発生装置。
【請求項９】
可搬型である請求項８記載の放射線発生装置。
【請求項１０】
被検体を透過した放射線を検出する放射線検出器と無線通信を行う無線通信部とを備えた放射線検出装置であって、
前記無線通信部が、放射線発生装置に対して前記放射線の出射を許可する出射許可信号を無線信号として出力するものであり、かつ前記出射許可信号に応じて前記放射線発生装置から出射されるパルス状の放射線の出射期間のうち、前記放射線が出射されていない期間にのみ前記出射許可信号を出力する放射線検出装置。
【発明の詳細な説明】
【技術分野】
【０００１】
本発明は、放射線を被写体に向けて出射し、被写体を透過した放射線を検出する放射線照射検出システム、およびその放射線照射検出システムにおける放射線発生装置並びに放射線検出装置に関するものである。
【背景技術】
【０００２】
従来、Ｘ線管などを備えた放射線発生装置と、放射線発生装置から出力され、患者を透過した放射線を検出するＦＰＤ（Flat Panel Detector）などの放射線検出器を備えた放射線検出装置とからなる放射線照射検出システムが提案されている。
【０００３】
このような放射線照射検出システムにおいて、放射線検出器は、放射線が照射されていない間、漏れ電流によって蓄積された電荷信号を周期的にリセットするように準備動作制御される。そして、放射線の照射開始時には、準備動作制御から電荷蓄積制御に移行する。電荷蓄積制御においては、患者を透過した放射線の線量に応じた電荷信号が放射線画像検出器の各画素に蓄積される。
【０００４】
このように放射線の照射開始に応じて放射線検出器を準備動作制御から電荷蓄積制御に移行させるためには、放射線発生装置と放射線検出装置との間で同期をとる必要がある。
【０００５】
放射線発生装置と放射線検出装置との間で同期をとる方法としては、たとえば放射線の出射を許可する信号を、有線または無線を用いて放射線検出装置から放射線発生装置に送信し、放射線発生装置が、その出射許可信号を受信した際に、放射線の出射を開始し、放射線検出器が電荷蓄積動作を開始する方法が提案されている。
【０００６】
たとえば特許文献１には、放射線の照射指示を受け付ける曝射スイッチを有する放射線発生装置において、曝射スイッチの照射指示と上述した出射許可信号の論理積が真の場合に、放射線発生装置から放射線を出射させることが提案されている。
【先行技術文献】
【特許文献】
【０００７】
【特許文献１】特開２０１４−５７８３１号公報
【発明の概要】
【発明が解決しようとする課題】
【０００８】
しかしながら、たとえば出射許可信号が無線通信信号として放射線検出装置から放射線発生装置に向けて送信される場合、たとえばノイズなどの影響によって出射許可信号が放射線発生装置によって正常に受信できない場合がある。
【０００９】
このような場合、上述したように放射線検出装置から出力された出射許可信号と曝射スイッチにおける照射指示の論理積に基づいて放射線の出射を制御する場合、出射許可信号が正常に受信できないため、放射線の出射は停止される。すなわち、正常に放射線画像の撮影を行うことができるにも関わらず、放射線画像の撮影を誤って中断してしまう。したがって、再撮影を行う必要があり、これにより患者の被爆量も大きくなってしまう問題がある。
【００１０】
本発明は、上記の問題に鑑み、無駄な再撮影を行うことなく、患者の被爆量を低減することができる放射線照射検出システムおよび放射線発生装置並びに放射線検出装置を提供することを目的とする。
【課題を解決するための手段】
【００１１】
本発明の放射線照射検出システムは、放射線を発生する放射線発生部および放射線の出射を制御する出射制御部を有する放射線発生装置と、被検体を透過した放射線を検出する放射線検出器を有する放射線検出装置とを備え、放射線検出装置が、放射線の出射を許可する出射許可信号を無線信号として出力する第１の無線通信部を有し、放射線発生装置が、出射許可信号を受け付ける第２の無線通信部を有し、出射制御部が、出射許可信号を受け付けた際、パルス状の放射線を出射させるものであり、かつパルス状の放射線の出射期間のうち、放射線が出射されていない期間に第２の無線通信部によって受け付けられた出射許可信号を用いてパルス状の放射線の出射を制御する。
【００１２】
また、本発明の放射線照射検出システムにおいて、第１の無線通信部は、放射線が出射されていない期間にのみ出射許可信号を出力することができる。
【００１３】
また、本発明の放射線照射検出システムにおいて、第１の無線通信部は、出射許可信号を連続して出力することができ、出射制御部は、第２の無線通信部によって受け付けられた出射許可信号のうち、放射線が出射されていない期間に受け付けられた出射許可信号を用いてパルス状の放射線の出射を制御することができる。
【００１４】
また、本発明の放射線照射検出システムにおいて、第１の無線通信部は、放射線の出射を停止する際、放射線の出射停止を指示する出射停止信号を無線信号として出力することができ、かつパルス状の放射線の少なくとも１周期の間、出射停止信号を継続して出力することが好ましい。
【００１５】
また、本発明の放射線照射検出システムにおいて、第１の無線通信部は、放射線の出射を停止する際、パルス状の放射線の少なくとも１周期の間、出射許可信号の出力を停止することができる。
【００１６】
また、本発明の放射線照射検出システムにおいて、放射線検出装置は、出射許可信号を出力した後、放射線検出器における放射線の検出信号の蓄積動作を開始することができる。
【００１７】
また、本発明の放射線照射検出システムにおいて、放射線検出装置は、放射線検出器の準備動作が終了した場合に、出射許可信号を出力し、かつ放射線検出器における放射線の検出信号の蓄積動作を開始することができる。
【００１８】
また、本発明の放射線照射検出システムにおいて、放射線発生装置は、可搬型であることが好ましい。
【００１９】
本発明の放射線発生装置は、放射線を発生する放射線発生部、放射線の出射を制御する出射制御部および無線通信を行う無線通信部を備えた放射線発生装置であって、出射制御部が、被検体を透過した放射線を検出する放射線検出装置から出力された無線信号の出射許可信号を無線通信部によって受け付けた際、パルス状の放射線を出射させるものであり、かつパルス状の放射線の出射期間のうち、放射線が出射されていない期間に受け付けられた出射許可信号を用いてパルス状の放射線の出射を制御する。
【００２０】
また、上記本発明の放射線発生装置は、可搬型であることが好ましい。
【００２１】
本発明の放射線検出装置は、被検体を透過した放射線を検出する放射線検出器と無線通信を行う無線通信部とを備えた放射線検出装置であって、無線通信部が、放射線発生装置に対して放射線の出射を許可する出射許可信号を無線信号として出力するものであり、かつ出射許可信号に応じて放射線発生装置から出射されるパルス状の放射線の出射期間のうち、放射線が出射されていない期間にのみ出射許可信号を出力する。
【発明の効果】
【００２２】
本発明の放射線照射検出システムおよび放射線発生装置並びに放射線検出装置によれば、放射線発生装置が、放射線検出装置から出力された出射許可信号を受け付けた際、パルス状の放射線を出射させ、かつそのパルス状の放射線の出射期間のうち、放射線が出射されていない期間に受け付けられた出射許可信号を用いてパルス状の放射線の出射を制御する。
【００２３】
これにより、出射許可信号に対する放射線の出射に起因するノイズの影響を抑制することができるので、上述したように誤って撮影が中断されるのを回避することができ、無駄な再撮影を行うことなく、患者の被爆量を低減することができる。
【図面の簡単な説明】
【００２４】
【図１】本発明の放射線照射検出システムの一実施形態の概略構成を示すブロック図
【図２】放射線の出射許可信号の出力とパルス状の放射線の出射との関係を示すタイミングチャート
【図３】放射線の出射停止信号の出力とパルス状の放射線の周期との関係を示すタイミングチャート
【図４】放射線画像検出器の動作制御を説明するための図
【図５】本発明の放射線照射検出システムの一実施形態の作用を説明するためのフローチャート
【発明を実施するための形態】
【００２５】
以下、本発明の放射線照射検出システムおよび放射線発生装置の一実施形態について、図面を参照しながら詳細に説明する。図１は、本実施形態の放射線照射検出システムの概略構成を示すブロック図である。
【００２６】
本実施形態の放射線照射検出システム１は、図１に示すように、放射線発生装置１０と、放射線検出装置２０とを備えている。放射線発生装置１０は可搬型であることが好ましく、放射線検出装置２０も可搬型のカセッテであることが好ましい。ただし、本発明は、可搬型の放射線照射検出システムに限らず、立位状態の被写体を撮影する放射線照射検出システムおよび臥位状態の被写体を撮影する放射線照射検出システムなど設置型の放射線照射検出システムにも適用可能である。
【００２７】
放射線発生装置１０は、患者などの被写体Ｍに向けて放射線を出射するものであり、放射線を発生する放射線発生部１１と、放射線の出射を制御する出射制御部１２と、曝射スイッチ部１３と、第２の無線通信部１４とを備えている。
【００２８】
放射線発生部１１は、Ｘ線管などの放射線源を備えたものであり、高圧電圧の印加によって放射線を発生するものである。
【００２９】
出射制御部１２は、たとえばＣＰＵ（Central Processing Unit）などを備えたものであり、放射線発生装置１０からの放射線の出射を制御するものである。具体的には、出射制御部１２は、放射線発生部１１に印可される管電圧および管電流を制御するものであり、管電圧または管電流を制御することによって、放射線発生部１１から出射される放射線の強度および出射時間を制御するものである。
【００３０】
そして、本実施形態の出射制御部１２は、曝射スイッチ部１３によって放射線の照射指示が受け付けられ、かつ放射線検出装置２０における後述する検出制御部２２から出力された出射許可信号を受け付けつけている間、放射線を出射させるものである。出射許可信号とは、放射線の出射を許可する信号である。本実施形態においては、放射線検出装置２０における放射線検出器２１の準備動作が終了した時点から、予め設定された周期で検出制御部２２から放射線発生装置１０に向けて出力される。
【００３１】
本実施形態においては、出射許可信号は、放射線検出装置２０の第１の無線通信部２３から無線信号として送信され、放射線発生装置１０の第２の無線通信部１４によって受信されるが、たとえばノイズなどの影響によって出射許可信号が放射線発生装置１０によって正常に受信できない場合がある。特に、第１の無線通信部２３から送信される無線信号は、放射線発生装置１０から出射される放射線に起因するノイズの影響を大きく受ける。
【００３２】
このような場合、上述したように放射線検出装置２０から出力された出射許可信号に基づいて、放射線の出射を制御するようにした場合、出射許可信号が正常に受信できないため、放射線の出射は停止される。すなわち、正常に放射線画像の撮影を行うことができるにも関わらず、放射線画像の撮影が誤って中断される。このように撮影を中断した場合、再撮影を行う必要があるので、患者の被爆量が大きくなってしまう問題がある。
【００３３】
そこで、本実施形態の出射制御部１２は、出射許可信号を受け付けた際、図２に示すように、パルス状の放射線を出射させる。そして、そのパルス状の放射線の出射期間のうち、放射線が出射されていない期間に第２の無線通信部１４によって受け付けられた出射許可信号を用いてパルス状の放射線の出射を制御する。そして、放射線検出装置２０の第１の無線通信部２３は、図２に示すように、放射線が出射されていない期間にのみ出射許可信号を出力する。
【００３４】
これにより、出射許可信号に対する放射線に起因するノイズの影響を抑制することができるので、出射制御部１２は、出射許可信号を正常に受信することができる。したがって、上述したような放射線画像の撮影の中断を回避することができ、無駄な再撮影を行わなくてよく、患者の被爆量も低減することができる。
【００３５】
パルス状の放射線の周期としては、１０ｍｓ以上１００ｍｓ以下であることが好ましい。
【００３６】
また、パルス状の放射線の周期およびデューティー比は、患者情報、撮影部位、撮影方法などの撮影条件に応じて変更することが好ましい。たとえばパルス状の放射線の周期および／またはデューティー比と撮影条件と対応づけたテーブルを予め設定しておくようにしてもよい。
【００３７】
なお、本実施形態においては、第１の無線通信部２３が、図２に示すように、放射線が出射されていない期間にのみ出射許可信号を出力するようにしたが、これに限らず、第１の無線通信部２３から出射許可信号を連続して出力させるようにしてもよい。そして、出射制御部１２が、第２の無線通信部１４によって受け付けられた出射許可信号のうち、放射線が出射されていない期間に受け付けられた出射許可信号を用いてパルス状の放射線の出射を制御するようにしてもよい。逆に言えば、出射制御部１２が、パルス状の放射線の出射を制御する際、第２の無線通信部１４によって受け付けられた出射許可信号のうち、放射線が出射されている期間に受け付けられた出射許可信号は使用しないようにしてもよい。
【００３８】
また、本実施形態の出射制御部１２は、曝射スイッチ部１３において放射線の出射停止指示が受け付けられるか、または放射線検出装置２０の第１の無線通信部２３から出力された出射停止信号を受信した場合に、放射線の出射を停止するものである。放射線検出装置２０の検出制御部２２は、たとえば放射線検出器２１の異常などを検出した場合に、上述した出射停止信号を第１の無線通信部２３から出力させる。第１の無線通信部２３は、検出制御部２２に制御されて、図３に示すように、パルス状の放射線の少なくとも１周期の間、出射停止信号を継続して出力するものである。
【００３９】
これにより出射制御部１２が、出射停止信号をより確実に認識することができ、放射線の出射をより確実に停止することができるので、無駄な放射線の出射により患者の被爆量が増えるのを防止することができる。
【００４０】
図１に戻り、第２の無線通信部１４は、上述したように、放射線検出装置２０の第１の無線通信部２３から送信された出射許可信号および出射停止信号を受信するものである。
【００４１】
曝射スイッチ部１３は、ユーザによる放射線の照射指示および停止指示を受け付けるものである。具体的には、本実施形態においては、曝射スイッチ部１３のオンが照射指示であり、オフが出射停止指示である。
【００４２】
次に、放射線検出装置２０について説明する。放射線検出装置２０は、放射線検出器２１と、検出制御部２２と、第１の無線通信部２３とを備えている。
【００４３】
放射線検出器２１は、放射線発生装置１０から出力され、被写体Ｍを透過した放射線を検出し、放射線検出信号を出力するものである。放射線検出器２１としては、たとえば、入射した放射線を可視光に変換するシンチレータ（蛍光体）およびＴＦＴ（Thin Film Transistor）アクティブマトリクス基板を備えたものを用いることができる。なお、放射線検出器２１は、これに限らず、入射した放射線を電荷信号に直接変換する、いわゆる直接変換方式の放射線検出器を用いるようにしてもよい。
【００４４】
検出制御部２２は、たとえばＣＰＵなどを備えたものであり、放射線検出器２１の動作を制御するものである。放射線検出器２１の動作制御としては、図４に示すように準備動作制御と、電荷蓄積制御と、読取制御とがある。
【００４５】
放射線検出器２１の準備動作制御の期間においては、放射線検出器２１に高圧電圧が印可され、放射線を検出可能な状態となるように準備動作が行われる。
【００４６】
そして、検出制御部２２は、準備動作が完了した後、電荷蓄積制御を開始する。具体的には、検出制御部２２は、放射線検出器２１を制御し、被写体Ｍを透過した放射線の照射によって発生した電荷の蓄積を開始させる。また、検出制御部２２は、電荷蓄積動作を開始した時点から出射許可信号を放射線発生装置１０に向けて出力する。出射制御部１２は、曝射スイッチ部１３がオンされて照射開始指示が受け付けれ、かつ出射許可信号を受信した場合に、放射線を出射させる。そして、被写体Ｍを透過した放射線が放射線検出器２１により検出される。放射線の出射は、曝射スイッチ部１３において出射停止指示が受け付けられない限り、予め設定された出射期間だけ行われる。
【００４７】
そして、検出制御部２２は、放射線の出射期間が終了した時点から、読取制御を開始する。具体的には、検出制御部２２は、放射線検出器２１を制御し、放射線の出射期間に蓄積された電荷信号の読み出しを開始する。放射線検出器２１から読み出された電荷信号に応じた放射線検出信号は、放射線検出装置２０内に設けられたメモリなどの記憶媒体に記憶される。記憶媒体に記憶された放射線検出信号は、所定の信号処理が施された後、コンソールなどの装置に出力される。
【００４８】
第１の無線通信部２３は、上述したように放射線発生装置１０に対して放射線の出射許可信号および出射停止信号を送信するものである。本実施形態においては、第１の無線通信部２３は、上述したように、パルス状の放射線の出射期間のうち、放射線が出射されていない期間において、出射許可信号を出力する。また、第１の無線通信部２３は、パルス状の放射線の少なくとも１周期の間、出射停止信号を継続して出力する。
【００４９】
なお、本実施形態においては、たとえば放射線検出器２１の異常などを検出した場合に、上述した出射停止信号を第１の無線通信部２３から出力させることによって放射線の出射を停止させるようにしたが、これに限らず、第１の無線通信部２３からの出射許可信号の出力を停止することによって放射線の出射を停止させるようにしてもよい。この場合、第１の無線通信部２３は、パルス状の放射線の少なくとも１周期の間、出射許可信号の出力を停止することが好ましい。
【００５０】
これにより出射制御部１２が、出射許可信号の出力の停止をより確実に認識することができ、放射線の出射をより確実に停止することができるので、無駄な放射線の出射により患者の被爆量が増えるのを防止することができる。
【００５１】
次に、本実施形態の放射線照射検出システムの作用について、図５に示すフローチャートを参照しながら説明する。
【００５２】
まず、放射線発生装置１０において、出射制御部１２によって、放射線発生部１１の準備動作が開始されるとともに、放射線検出装置２０において、検出制御部２２の制御によって、放射線検出器２１の準備動作が開始される（Ｓ１０）。
【００５３】
そして、放射線検出器２１に対して所定の位置に被写体Ｍが設置された後、技師などによって曝射スイッチ部１３がＯＮされた場合には（Ｓ１２，ＹＥＳ）、放射線発生部１１および放射線検出器２１の準備動作が終了しているか否かが確認される（Ｓ１４）。
【００５４】
放射線発生部１１および放射線検出器２１の準備動作が終了していることが確認された場合には（Ｓ１４，ＹＥＳ）、放射線検出装置２０の検出制御部２２は、放射線発生装置１０に対して出射許可信号の出力を開始し（Ｓ１６）、かつ放射線検出器２１の電荷蓄積動作を開始する。
【００５５】
そして、放射線発生装置１０において出射許可信号が受信された場合には、出射制御部１２は、パルス状の放射線の出射を開始する（Ｓ１８）。パルス状の放射線の出射が開始された後、検出制御部２２は、上述したように放射線が出射されていない期間に出射許可信号を出力し、放射線発生装置１０によって受信される。
【００５６】
次いで、予め設定された放射線の出射期間において（Ｓ２０，ＮＯ）、曝射スイッチ部１３がＯＦＦされたかどうかが確認され、曝射スイッチ部１３がＯＮ状態のままである場合には（Ｓ２４，ＮＯ）、放射線検出装置２０から出射停止信号が出力されているか否かが確認され、出射停止信号が出力されていない場合には（Ｓ２６，ＮＯ）、出射制御部１２は、放射線の出射を継続させる。
【００５７】
そして、予め設定された放射線の出射期間が経過した場合には（Ｓ２０，ＹＥＳ）、出射制御部１２は、放射線を停止させる（Ｓ２４）。そして、検出制御部２２は、放射線検出器２１の電荷蓄積動作を終了し、読出動作を行う。
【００５８】
一方、予め設定された放射線の出射期間において（Ｓ２０，ＮＯ）、曝射スイッチ部１３がＯＦＦされた場合（Ｓ２４，ＹＥＳ）または放射線検出装置２０から出射停止信号が出力された場合（Ｓ２６，ＹＥＳ）には、出射制御部１２は、出射制御部１２は、放射線を停止させる（Ｓ２２）。
【００５９】
なお、曝射スイッチ部１３がＯＦＦされることによって放射線の撮影が中断された場合または放射線検出装置２０から出射停止信号が出力されて放射線の撮影が中断された場合には、検出制御部２２は、放射線検出器２１の動作を停止するようにしてもよいし、通常通り、放射線検出器２１の電荷蓄積動作を終了し、読出動作を行うようにしてもよい。このように通常通りの動作を行って放射線画像を取得することによって、再撮影を行う必要があるかを判断することができる。
【符号の説明】
【００６０】
１     放射線照射検出システム
１０   放射線発生装置
１１   放射線発生部
１２   出射制御部
１３   曝射スイッチ部
１４   第２の無線通信部
２０   放射線検出装置
２１   放射線検出器
２２   検出制御部
２３   第１の無線通信部
Ｍ     被写体
【図１】
2018183397.tif 000003
【図２】
2018183397.tif 000004
【図３】
2018183397.tif 000005
【図４】
2018183397.tif 000006
【図５】
2018183397.tif 000007